(57)【要約】【課題】各種携帯電話及び情報端末機器同機種同士または携帯電話事業会社同士の携帯電話情報端末でしか、動画を視聴することができなかったことで各種携帯電話及び情報端末機器を利用するユ−ザストレスを解決して提供することを目的としている。【解決手段】この発明による各種携帯電話及び情報端末機器専用動画ファイルデ−タ自動変換入出力装置は、各種携帯電話及び情報端末機器向けに、ユ−ザ端末（パーソナルコンピュータ、携帯電話機や携帯情報端末等）から情報通信網を介して、動画ファイルデ−タ変換の申し込みを受けて、ユ−ザが利用する各種携帯電話及び情報端末機器向けに、最適な動画が視聴できる動画ファイルデ−タに高速且つ画質の劣化を最大限小さくし且つ、高画質に変換かをおこない、情報通信網を介してユ−ザ端末（パーソナルコンピュータ、携帯電話機や携帯情報端末等）に最適な変換後動画ファイルデ−タを自動的にもどすこと。【選択図】図１
2009017519.tif 000002
【特許請求の範囲】
【請求項１】
本発明は、各種携帯電話及び情報端末機器により、リクエストがあった動画ファイルデ−タを自動的に各種携帯電話及び情報端末機器で視聴できる動画ファイルデ−タを自動的に認識して、各種携帯電話及び情報端末機器動画ファイルデ−タに自動的に変換して、各種携帯電話及び情報端末機器で視聴でき、各種携帯電話及び情報端末機器で映し出される各種携帯電話及び情報端末機器用動画符号化形式に自動的に変換、生成して、高速且つ高画質で、画質の劣化を最小限度に防ぎ、生成する創出方法と装置とを提供する。
【発明の詳細な説明】
【技術分野】
【０００１】この発明は専用に各種携帯電話及び情報端末機器動画ファイルデ−タを自動変換したものを自動的に、各種携帯電話及び情報端末機器専用動画ファイルデ−タ管理装置及び動画負荷分散装置と連動して、携帯電話向け動画形式変換後ファイルデ−タの自動入出力を内容と情報の表示及び動画形式ファイルデ−タ変換リクエストを管理制御する技術に関する。
【背景技術】
【０００２】高速情報通信が台頭、携帯電話での動画視聴及び投稿ユーザの増加が目覚しい。ユーザは無償または有償で様々な情報を携帯電話で視聴及び動画投稿できるようになっている。
【発明の開示】
【発明が解決しようとする課題】
【０００３】しかしながら、同機種同士または携帯電話事業会社同士の携帯電話情報端末でしか、動画を見ることができなかったため、各種携帯電話及び情報端末機器で動画を視聴するユーザのストレスは逆に増加しているのが現状であり、【０００４】また、動画変換装置は、高額なためユ−ザ向け映像・動画記憶録画装置が普及しても、限られたユ−ザ向け映像・動画記憶録画装置でしか記憶・録画した映像及び動画を視聴することができず視聴者もストレスが多くなるうえ、必ずしもユーザ一人ひとりの嗜好と一致するものとは限らないことからサービスの運営を維持するために、動画情報に動画広告などを挿入しているケースも多い。【０００５】このため、動画変換サービスはユ−ザにとってそれほど魅力的なサ−ビスとは考えられておらず、この結果、一部の動画ファイルを無償にするなど、なんとかユーザのストレスを軽減しようと試みてはいるが、限られた動画ファイルデ−タ形式しか変換することができないため無償にすることによっても、ユーザの利用回数が極端に減少することも少なくなかった。【０００６】この発明は、従来の動画ファイル変換サービスのような、限られた動画ファイル変換サービスにおける課題を解決し、動画ファイル変換の活性化を図るとともに、広くユ−ザの利用向上を図り、携帯電話専用動画ファイルデ−タ自動変換入出力装置と携帯電話専用動画ファイルデ−タ管理装置とを連動させることにより、新機種の携帯電話情報端末が携帯電話事業会社より発売されても、都度自動的に新機種の携帯電話情報端末機の種別及び携帯電話動画ファイルデ−タを自動的に認識するため、パ−ソナルコンピュ−タ−、携帯電話、ビデオカメラ、デジタルカメラ等で撮影、録画した動画をユ−ザの希望する動画ファイルデ−タに変換して、携帯電話動画ファイルデ−タを安定的に提供することを目的とする。
【課題を解決するための手段】
【０００７】この発明による各種携帯電話及び情報端末機器専用動画ファイルデ−タ自動変換入出力装置は、各種携帯電話情報端末機を特定するデ−タと各種携帯電話及び情報端末機器より選択される動画ファイルデータとを関連付けて記憶し、前記各種携帯電話及び情報端末機器を特定するデータと動画ファイルデ−タとを関連付けて記憶し、かつ、動画ファイルデータと変換後動画ファイルデ−タとを関連付けて記憶する情報データベース、にアクセス可能であり、かつ、携帯電話情報端末から動画変換要求信号を情報通信網を介して受信するとともに、受信した動画変換要求信号と特定データ（各種携帯電話情報端末機）とを関連付けて、情報データベースに記憶するよう制御する制御部と、各種携帯電話及び情報端末機器から動画ファイル変換データの表示を要求する視聴要求信号を情報通信網を介して受信すると、当該表示要求信号に基づいて特定された動画ファイルデータに指定データが関連付けられている場合には、当該動画ファイルデータと指定動画ファイルデータを情報通信網を介してサ−バコンピュータより各種携帯電話及び情報端末機器へ送信して表示するようにとして機能する。【０００８】この発明によるプログラムは、各種携帯電話専用動画ファイルデ−タ自動変換入出力装置は、各種携帯電話及び情報端末機器を特定するデ−タと各種携帯電話及び情報端末機器より選択される動画ファイルデータとを関連付けて記憶し、前記各種携帯電話及び情報端末機器を特定するデータと動画ファイルデ−タとを関連付けて記憶し、かつ、動画ファイルデータと変換後動画ファイルデ−タとを関連付けて記憶する情報データベース、にアクセス可能であり、かつ、各種携帯電話及び情報端末機器から動画変換要求信号を情報通信網を介して受信するとともに、受信した動画変換要求信号と特定データ（各種携帯電話及び情報端末機器）とを関連付けて、情報データベースに記憶するよう制御する制御部と、各種携帯電話及び情報端末機器から動画ファイル変換データの表示を要求する視聴要求信号を情報通信網を介して受信すると、当該表示要求信号に基づいて特定された動画ファイルデータに指定データが関連付けられている場合には、当該動画ファイルデータと指定動画ファイルデータを情報通信網を介してサ−バコンピュータより各種携帯電話及び情報端末機器へ送信して表示するようにとして機能させるためのプログラムである。【０００９】本発明の特徴は、上記のように広く示すことができるが、その構成や内容は、目的および特徴とともに、図面を考慮に入れた上で、以下の開示によりさらに明らかになるであろう。
【発明の効果】
【００１０】請求項１による各種携帯電話及び情報端末機器により、リクエストがあった動画ファイルデ−タを自動的に各種携帯電話及び情報端末機器で視聴できる動画ファイルデ−タを自動的に認識して、各種携帯電話及び情報端末機器動画ファイルデ−タに自動的に変換して、各種携帯電話及び情報端末機器で視聴でき、各種携帯電話及び情報端末機器で映し出される各種携帯電話及び情報端末機器用動画符号化形式に自動的に変換、生成して、高速且つ高画質で、画質の劣化を最小限度に防ぎ、生成する創出方法と装置として機能する。
【発明を実施するための最良の形態】この発明の各種携帯電話及び情報端末機器動画ファイルデ−タ自動変換入出力装置と各種携帯電話及び情報端末機器専用動画ファイルデ−タ管理装置及び動画負荷分散装置とを連動させることにより、新機種の各種携帯電話及び情報端末機器が発売されても各種携帯電話及び情報端末機器向けに表示できる動画情報の表示及び動画形式ファイルデ−タ変換リクエストを可能にする技術である。
【産業上の利用可能性】この発明の各種携帯電話及び情報端末機器動画ファイルデ−タ自動変換入出力装置を利用するユ−ザは無償で利用することができ、且つ各種携帯電話及び情報端末機器製造会社等の活性化にもなり、また、社会問題になっている虐待、福祉、いじめ防止等をの抑止力とも利用が可能な発明である。
【図面の簡単な説明】
【００１１】
【図１】この発明の一実施形態による各種携帯電話及び情報端末機器動画ファイルデ−タ自動変換入出力装置１と連動する動画変換ファイルデ−タ負荷分散自動認証装置２及び、動画ファイル管理装置３とユ−ザ端末５の構成を示す図面である。
【図２】図１の各種携帯電話及び情報端末機器動画ファイルデ−タ自動変換入出力装置１を構成する変換サ−バとこれを稼働させるために連動する、動画変換ファイルデ−タ負荷分散自動認証装置２を構成する管理サーバと動画ファイル管理装置３を構成する動画管理サ−バとユーザ端末５の構成を示すブロック図である。
【図３】各種携帯電話及び情報端末機器動画ファイルデ−タ自動変換入出力装置１と連動する動画変換ファイルデ−タ負荷分散自動認証装置２及び動画ファイル管理装置３とユ−ザ端末５における処理の流れの一例を示すフローチャートである。
【符号の説明】
【００１２】１：変換サ−バ
２：管理サ−バ
３：動画ファイル管理サ−バ
４：情報通信網
５：ユ−ザ端末
８０：ユ−ザ制御部
１００：情報データベース
１０２：ユーザ管理テーブル
１０４：変換サ−バ管理テ−ブル
【００１３】図２は、図１の各種携帯電話及び情報端末機器動画ファイルデ−タ自動変換入出力装置１を構成する変換サ−バとこれを稼働させるために連動する、動画変換ファイルデ−タ負荷分散自動認証装置２を構成する管理サーバと動画ファイル管理装置３を構成する動画管理サ−バとユーザ端末５の構成を示すブロック図である。
【００１４】ユーザの使用するユーザ端末５は、入力装置５ａ、表示装置５ｂおよび記憶装置５ｃを備えている。ユーザ端末５は、情報通信網４を介して希望変換動画ファイルデ−タや変換後動画ファイルデータを各種携帯電話及び情報端末機器動画ファイルデ−タ自動変換入出力装置１を構成する変換サ−バとこれを稼働させるために連動する、動画変換ファイルデ−タ負荷分散自動認証装置２を構成する管理サーバと動画ファイル管理装置３管理サーバから受信し、表示装置５ｂに表示する。
【００１５】管理サーバ２は、情報データベース１００と、情報データベース１００にアクセス可能な制御部８０とを備えている。
【００１６】情報データベース１００は、ユ−ザ管理テーブル１０２，変換サ−バ管理テーブル１０４を備えている。図３は、それぞれ、ユーザ管理テーブル１０２，変換サ−バ管理テーブル１０４のデータ構造の一例を示す図面である。
【００１７】図３は、各種携帯電話及び情報端末機器動画ファイルデ−タ自動変換入出力装置１と連動する動画変換ファイルデ−タ負荷分散自動認証装置２及び動画ファイル管理装置３とユ−ザ端末５における処理の流れの一例を示すフローチャートである。
【図１】
2009017519.tif 000003
【図２】
2009017519.tif 000004
【図３】
2009017519.tif 000005